(57)【要約】【課題】  食品工場や製薬工場などのように衛生上の注意を払う必要がある場所、あるいは半導体製造ラインなどのように塵の飛散を回避する必要がある場所において、体毛等の落下をより確実に防止し得る構造のアンダーシャツを提供する。【解決手段】  身頃の頂部中央に首口を、その左右に肩部を介して袖部を有し、前記身頃の下端に裾口を開口したアンダーシャツであって、前記袖部は肩部先から袖口に向かって漸次絞縮して少なくとも袖口を腕と密着可能とすると共に、身頃の腋部の直下を絞縮して、当該腋部から腰部までの胴部を同径として胴体と密着可能とした。また、袖部は、その全てが腕と密着可能に絞縮する。さらに、身頃の胴部下から裾口にかけて末広がりとする。さらにまた、本アンダーシャツを強撚糸をメリヤス編みにより編成する。【選択図】        図１
2007051389.tif 000002
【特許請求の範囲】
【請求項１】
身頃の頂部中央に首口を、その左右に肩部を介して袖部を有し、前記身頃の下端に裾口を開口したアンダーシャツであって、前記袖部は肩部先から袖口に向かって漸次絞縮して少なくとも袖口を腕と密着可能とすると共に、身頃の腋部の直下を絞縮して、当該腋部から腰部までの胴部を同径として胴体と密着可能としたことを特徴としたアンダーシャツ。
【請求項２】
袖部は、その全てが腕と密着可能に絞縮される請求項１記載のアンダーシャツ。
【請求項３】
身頃の胴部下から裾口にかけて末広がりとした請求項１または２記載のアンダーシャツ。
【請求項４】
強撚糸をメリヤス編みにより編成した請求項１、２または３記載のアンダーシャツ。
【発明の詳細な説明】
【技術分野】
【０００１】
この発明は、食品工場や製薬工場などのように衛生上の注意を払う必要がある場所、あるいは半導体製造ラインなどのように塵の飛散を回避する必要がある場所において、身体からの体毛等の落下を防止するために改善されたアンダーシャツに関するものである。
【背景技術】
【０００２】
従来、食品工場や製薬工場などでは、作業員は衛生キャップ（例えば特許文献１、２、３参照）や手袋を装着して作業を行う。また、白衣を着用する場合もあり、この場合、下着（アンダーシャツ）の上に直接白衣を着衣するものであった。
【０００３】
【特許文献１】特開平８−１５８１３４号公報
【特許文献２】特開２００２−１６１４２４号公報
【特許文献３】実用新案登録第３０６４３６８号公報
【発明の開示】
【発明が解決しようとする課題】
【０００４】
しかしながら、下着としてのアンダーシャツは、その編み目等によって脱毛した体毛や剥離した皮膚・垢をある程度絡め取って捕集することが期待できるものの、通常、袖口や裾口には余裕をもたせてあり、使用者の動作によって体毛や皮膚さらには垢などが袖口や裾口から落下しやすいものであった。
【０００５】
本発明は上述した課題を解決するためになされたものであり、その目的とするところは、体毛等の落下をより確実に防止し得る構造のアンダーシャツを提供することである。
【課題を解決するための手段】
【０００６】
上述した目的を達成するために本発明では、身頃の頂部中央に首口を、その左右に肩部を介して袖部を有し、前記身頃の下端に裾口を開口したアンダーシャツであって、前記袖部は肩部先から袖口に向かって漸次絞縮して少なくとも袖口を腕と密着可能とすると共に、身頃の腋部の直下を絞縮して、当該腋部から腰部までの胴部を同径として胴体と密着可能とするという手段を用いた。この手段によれば、袖部の絞りは脇毛の脱落を防止し、胴部の絞りは脇毛に加え、胸毛等の体毛の落下を防止するものである。つまり、毛根の抜けた毛髪が作業動作により皮膚とアンダーシャツの間を通過して落下するのを防ぐため、どのような作業動作の場合にもシャツと皮膚との隙間ができないように、種々の体型にもフィットするように構成しているのである。なお、袖部は、その全てが腕と密着可能に絞縮することが、体毛等の捕集および落下防止により期するため、好ましい。
【０００７】
また、身頃の胴部下から裾口にかけて末広がりとすることによって、当該広がり部が腰骨と臀部に沿うようにしている。従って、この手段においては、作業動作を妨げることなく、体毛の落下を防止することができる。
【０００８】
なお、本発明に係るアンダーシャツの袖部の形態は、当該袖部が使用者の腕と密着するように絞り込んだものであれば、半袖であっても長袖であってもよい。ただし、実際の使用機会とすれば、上着として白衣などを着用するため、長袖の使用頻度は小さいと考える。
【０００９】
なお、本アンダーシャツの素材や編成は特に限定するものではないが、伸縮性や柔軟性、さらには洗濯等に対する耐久性を兼ね備えた素材や編成を採用することが好ましい。例えば、綿１００％素材であれば柔軟性と吸汗性に優れ、強撚糸を使用したメリヤス編がさらに伸縮性および柔軟性を発揮し、耐久性にも優れる。このため本発明では、強撚糸をメリヤス編みによりアンダーシャツを編成するという手段を選択的に採用する。
【発明の効果】
【００１０】
本発明によれば、肌に直接着用するアンダーシャツの袖部と胴部を腕や胴体と密着するように絞り込んでいるため、脇毛や胸毛など身体から体毛が脱毛、あるいは身体から代謝皮膚や垢などが剥離したとしても、これらは絞り込んだ部分で捕集され、より確実に体毛等の落下を防止することができる。また、胴部下から裾口にかけて末広がりとしたものにあっては、作業動作の行いやすさが確保される。また、具体的な素材および編成法として強撚糸をメリヤス編みしたものにあっては、伸縮性および柔軟性に富んで着用感や作業性に優れ、また洗濯等による劣化も遅く耐久性に優れる。また、強撚糸は通常の綿糸と比較して発塵が少なく、半導体や液晶などの精密工場において特に有用である。
【発明を実施するための最良の形態】
【００１１】
以下、本発明の好ましい実施の形態を添付した図面に従って説明する。図１は本発明の一実施形態に係るアンダーシャツの（ａ）正面図、（ｂ）背面図である。図中の１は前身頃、２は後身頃、３は身頃の頂部中央に設けた首口、４は両肩部５・５を介して首口３の左右に設けた袖部、６は身頃の胸部、７は胸部６に連続する胴部であって、当該胴部７は身頃の腋下７ａから腰部７ｂまでの範囲で設定される。また、８は胴部７下に連続する腰骨や臀部を覆う下腹部、９は下腹部８下で開口する裾口であって、首口３・袖部４の袖口４ａは二重折りにして編成し、生地のほつれをなくすと共に補強している。裾口９を同様に構成できることはもちろんである。
【００１２】
図２は、本アンダーシャツの実際の製品化に際し、図１におけるＡ〜Ｊの採寸箇所について、Ｍ寸、Ｌ寸、ＬＬ寸の仕上がり寸法表の一例を示したものである。
【００１３】
上記構成のアンダーシャツにおいて、その特徴点は、袖部４を肩部５から袖口４ａに向かって漸次絞縮させて、使用者の腕と密着するように構成した点にある。ここで袖部４は、少なくとも袖口４ａが使用者の腕に密着すればよく、より好ましくは、袖部４の全体が腕と密着するように絞縮する。この袖部４の構成によれば、脱毛した脇毛等は袖部４を通過しにくく、使用者の動作によって袖部４を移動したとしても殆どが袖部４において生地に絡み付くなどして捕集され、さらに袖口４ａが腕と密着するため、袖口４ａからの脇毛等の落下が確実に防止される。この作用により袖口４ａから落下が防止されるのは、体毛のみならず皮膚や垢などについても同様である。
【００１４】
他の特徴点として、上記アンダーシャツでは、身頃の腋下７ａから腰部７ｂに至るまでの胴部７を使用者の胴体（腹部）と密着するように絞縮している。従って、この胴部７の構成によれば、脇毛に加え、胸毛についても、これら脱毛した体毛は胴部７を通過しにくく、やはり生地に絡み付くなどして捕集され、胴部７下の裾口９から体毛が落下することがない。この作用により裾口９から落下が防止されるのが皮膚や垢等についても同様であることは、上記袖部４の場合と同じである。なお、胴部７は胸部６に比して径が絞縮されたものであるが、上記袖部４のように漸次絞り込んだものではなく、一定範囲（７ａ〜７ｂの範囲）で同一径を有する、いわゆる寸胴である。
【００１５】
本実施形態のさらなる特徴点としては、胴部７と裾口９の間において使用者の腰骨や臀部を覆う下腹部８を下方に向かって漸次広がるように末広がりに構成している点にある。この構成によって、使用者の下腹に対する圧迫感が軽減され、作業動作を容易ならしめる効果がある。
【００１６】
なお、本発明のアンダーシャツは、衛生さやクリーンさが要求される食品工場・精密工場において、作業着の下に着用することを主たる用途としてあげることができる。この場合、アンダーシャツには、上述した体毛や皮膚等、身体から発生する異物の落下や飛散の他、生地そのものからの発塵を防止することも要求されると共に、作業の快適さに関する着用感、さらには洗濯等に対する耐久性に優れることが好ましい。
【００１７】
そこで、本発明では、生地として綿１００％の強撚糸を使用する。この強撚綿糸によれば、通常の綿糸よりも発塵が少なく、また伸縮性に富むため作業も行いやすい。さらに、強撚綿糸は洗濯等による縮みやへたりが遅く、耐久性にも優れる。そして、より好ましくは、この強撚綿糸を使用してメリヤス編みによってアンダーシャツを編成する。より伸縮性が増すと共に、肌触りもよく、着用感や作業性に優れるからである。
【００１８】
ただし、生地や編成法については上記のものに限定されず、従来公知の構成を採用することができる。本発明において最低限必要なことは、着用時に袖部と胴部（ウェスト部）が肌と密着するように絞縮して構成することである。
【図面の簡単な説明】
【００１９】
【図１】本発明の一実施形態に係るアンダーシャツの（ａ）正面図、（ｂ）背面図
【図２】同実施形態における各寸の仕上がり寸法表
【符号の説明】
【００２０】
１  前身頃
２  後身頃
３  首口
４  袖部
４ａ  袖口
５  肩部
６  胸部
７  胴部
８  下腹部
９  裾口
【図１】
2007051389.tif 000003
【図２】
2007051389.tif 000004